(57)【要約】【課題】原稿を読み取るための光源光が原稿検出センサーに外乱光として受光されることを防止する画像読取装置を提供する。【解決手段】原稿画像を読み取るために原稿を読取位置Ｐ１へ向けて搬送するための原稿搬送部Ｂと、読取位置Ｐ１に搬送されてきた原稿の画像を搬送先端側から順に読み取るための画像読取部３と、読取位置Ｐ１に設けられると共に、表面側が原稿搬送面として機能し、裏面側に画像読取部３が配置される透明コンタクトガラス３ｅと、読取位置Ｐ１の上流側に位置し、赤外光を利用して、搬送されてくる原稿の先端を検出するための原稿検出センサー５２と、を備えた画像読取装置であって、透明コンタクトガラス３ｅの表面側と裏面側の少なくとも一方に赤外光をカットするための表面処理が施されている。【選択図】図４
2008166987.tif 000002
【特許請求の範囲】
【請求項１】
原稿画像を読み取るために原稿を読取位置へ向けて搬送するための原稿搬送部と、
読取位置に搬送されてきた原稿の画像を搬送先端側から順に読み取るための画像読取部と、
読取位置に設けられると共に、表面側が原稿搬送面として機能し、裏面側に前記画像読取部が配置される透明板と、
読取位置の上流側に位置し、赤外光を利用して、搬送されてくる原稿の先端を検出するための原稿検出センサーと、を備えた画像読取装置であって、
前記透明板の表面側と裏面側の少なくとも一方に赤外光をカットするための表面処理が施されていることを特徴とする画像読取装置。
【請求項２】
前記原稿検出センサーは、所定の軸芯周りに揺動可能な検出レバーと、発光部および受光部からなる光センサーと、を備え、
この検出レバーは、搬送路内に露出する第１作用部と、前記発光部からの光が受光部へ到達するのを遮光可能な第２作用部と、を備えており、
搬送されてくる原稿が第１作用部を動作させることで、第２作用部が受光部に対する遮光位置から退避もしくは遮光位置へ侵入するように構成したことを特徴とする請求項１に記載の画像読取装置。
【請求項３】
前記透明板の裏面側に赤外光カットの表面処理を施し、表面側にＩＴＯの皮膜を施すことを特徴とする請求項１又は２に記載の画像読取装置。
【発明の詳細な説明】
【技術分野】
【０００１】
本発明は、原稿画像を読み取るために原稿を読取位置へ向けて搬送するための原稿搬送部と、読取位置に搬送されてきた原稿の画像を搬送先端側から順に読み取るための画像読取部と、読取位置に設けられると共に、表面側が原稿搬送面として機能し、裏面側に前記画像読取部が配置される透明板と、読取位置の上流側に位置し、赤外光を利用して、搬送されてくる原稿の先端を検出するための原稿検出センサーと、を備えた画像読取装置に関するものである。
【背景技術】
【０００２】
ファクシミリ装置やデジタル複合機（複写機）においては、原稿トレイに載置された原稿を１枚ずつ分離して繰り出し、画像読取部による原稿画像読み取り位置へと連続的に供給する自動原稿送り装置（以下、ＡＤＦということがある）を備えている。原稿トレイから繰り出された原稿は、１枚ずつ読取位置へと搬送され、原稿画像が読み取られ電子データ化される。画像を読み取るためのセンサーは、ＣＣＤなどによるラインセンサーによるものであり、そのために読取位置には、読み取りラインに対応した形状の細長い矩形形状の透明ガラス板が設けられている。
【０００３】
通常は、この透明ガラス板の裏面側に画像読取部（ラインセンサー、読み取り用光源、その他の光学系など）が配置されており、表面側は原稿が通過する原稿搬送面として機能する。原稿画像を読み取るためには、読み取り用光源からの光を読取位置に導き、原稿面からの反射光をラインセンサーにより受光する形である。
【０００４】
一方、画像読取部による読み取り動作の開始タイミングを制御するために、読取位置の直上流に原稿が搬送されてきたことを検出するための原稿検出センサーが配置されている。この原稿検出センサーは、発光部と受光部を備えており、発光部からの光を受光部で受光しているか否かにより原稿の有無を検出する。例えば、搬送されてきた原稿の先端により、受光部への光が遮光されることにより原稿が送られてきたことを検出する。この検出タイミングに基づいて、画像読み取りタイミングを制御することができる。また、光の遮光状態が解除されることにより、原稿の後端を検出することができ、画像読み取りの終了タイミングを制御することができる。
【０００５】
ところで、原稿検出センサーでは、赤外光を用いて原稿の先端・後端の検出を行なっている。原稿検出センサーが配置される箇所は、周囲光から完全に遮光された状態でいないため、検出精度を確保するために赤外光が用いられている。
【０００６】
一方、原稿読み取りのために用いられる読み取り用光源では、可視光を用いて読み取りを行なっている。読み取り用光源から発せられる可視光は、読取位置にある透明ガラス板に導かれる。この透明ガラス板へと導かれた可視光の一部は、透明ガラス板を透過し、原稿検出センサーの方に向かうものも存在するが、原稿検出センサーの受光部は、可視光に対する感度はほとんどないので、誤動作の問題は生じない。
【０００７】
しかしながら、読み取り用光源から発せられる光は１００％が可視光ではなく、赤外光もある程度含まれている。この赤外光が透明ガラス板を透過した場合、その一部が原稿検出センサーの方に向かって受光部により受光され、誤検出となる恐れがある。
【０００８】
原稿検出センサーの配置箇所を読取位置から遠い距離にすれば、そのような問題点を解消することができるが、読み取りタイミングを制御する時の精度が低下するという問題があるため、可能な限り、原稿検出センサーは読取位置の近傍に配置することが好ましい。
【０００９】
原稿の読み取り精度を上げるために外乱光の影響を排除する先行技術として、下記特許文献１に開示される光学式原稿走査装置が知られている。この装置は、原稿を照明する光源と、光源からの光を原稿まで伝送すると共に、原稿からの反射光を光検出系まで伝送する光ファイババンドルを備え、この光ファイババンドルの光源光が導入される端面に反射防止コーティングを施し、外乱光が光検出系に伝送させることを阻止するものである。
【００１０】
【特許文献１】特開平３−１１７１６１号公報
【発明の開示】
【発明が解決しようとする課題】
【００１１】
上記先行技術はあくまでも光検出系（例えば、ＣＣＤなどの読み取りセンサー）側における外乱光の問題を解決しようとするものであり、原稿が搬送させる側に配置される原稿検出センサーへの外乱光を阻止する技術については、何ら開示をするものではない。
【００１２】
本発明は上記実情に鑑みてなされたものであり、その課題は、原稿を読み取るための光源光が原稿検出センサーに外乱光として受光されることを防止する画像読取装置を提供することである。
【課題を解決するための手段】
【００１３】
上記課題を解決するため本発明に係る画像読取装置は、
原稿画像を読み取るために原稿を読取位置へ向けて搬送するための原稿搬送部と、
読取位置に搬送されてきた原稿の画像を搬送先端側から順に読み取るための画像読取部と、
読取位置に設けられると共に、表面側が原稿搬送面として機能し、裏面側に前記画像読取部が配置される透明板と、
読取位置の上流側に位置し、赤外光を利用して、搬送されてくる原稿の先端を検出するための原稿検出センサーと、を備えた画像読取装置であって、
前記透明板の表面側と裏面側の少なくとも一方に赤外光をカットするための表面処理が施されていることを特徴とするものである。
【００１４】
かかる構成による画像読取装置の作用・効果を説明する。この装置は、原稿搬送部により原稿が搬送され、読取位置において原稿画像の読み取りが行なわれる。読取位置には透明板が設けられており、この表面側を原稿が通過する。透明板の裏面側には画像読取部が設けられており、搬送される原稿の原稿画像を順次読み取っていくものである。画像読み取りのために、原稿の画像形成面に光が照射され、その反射光に基づいて、原稿画像の読み取りが行なわれる。原稿画像を読み取るための光は、可視光が使用されるが赤外光も一部含まれている。
【００１５】
そこで、透明板の表面側と裏面側の少なくとも一方に赤外光をカットする表面処理が施されている。これにより、赤外光が透明板を通過することを防止することができる。読取位置の上流側には、赤外光を利用して原稿の先端を検出するための原稿検出センサーが設けられているが、赤外光が透明板を透過して原稿検出センサーの方向に向かうことを防止している。その結果、原稿を読み取るための光源光が原稿検出センサーに外乱光として受光されることを防止する画像読取装置を提供することができる。
【００１６】
本発明において、前記原稿検出センサーは、所定の軸芯周りに揺動可能な検出レバーと、発光部および受光部からなる光センサーと、を備え、
この検出レバーは、搬送路内に露出する第１作用部と、前記発光部からの光が受光部へ到達するのを遮光可能な第２作用部と、を備えており、
搬送されてくる原稿が第１作用部を動作させることで、第２作用部が受光部に対する遮光位置から退避もしくは遮光位置へ侵入するように構成したことが好ましい。
【００１７】
この構成によると、原稿検出センサーは検出レバーを備えており、原稿が検出レバーを動作させることで原稿の先端が到達したことを検出する。すなわち、原稿の先端により第１作用部を動作させて、光センサーを遮光状態から受光状態（もしくは受光状態から遮光状態）へと変化させる。この変化に基づいて、原稿の先端を検出し、画像の読み取りタイミングを制御することができる。光センサーは、外光から遮断した状態に設置することが容易になり、外乱光に対する影響をより確実に排除することができる。
【００１８】
本発明において、前記透明板の裏面側に赤外光カットの表面処理を施し、表面側にＩＴＯの皮膜を施すことが好ましい。
【００１９】
透明板の裏面側に赤外光カットの表面処理を施すことで、原稿検出センサーへ赤外光が進入することを防止する。また、原稿が通過する表面側にＩＴＯ皮膜を施すことで、透明板に汚れが付着することを防止することができる。また摩擦係数も小さいので原稿の搬送に対して悪影響を与えることがない。
【発明を実施するための最良の形態】
【００２０】
本発明に係る画像読取装置が採用された画像形成装置を図面を用いて説明する。図１は、画像形成装置１は、画像形成装置の内部構成をブロック的に示す模式図である。図１は、画像形成装置の前面側から見た模式図であり、図１の紙面に垂直な方向を装置の前後方向、図１の紙面に沿った上下方向を装置の上下方向、図１の紙面に沿った左右方向を装置の左右方向と定義する。
【００２１】
画像形成装置１は、最上部に本発明に係る自動原稿送り装置（ＡＤＦ）２を備えており、原稿トレイ８、給紙部Ａ、原稿搬送部Ｂ、排出トレイ９を備えている。原稿トレイ８に堆積載置された原稿は、給紙部Ａにより１枚ずつ繰り出し分離されて、原稿搬送路の途中にある第１読取位置Ｐ１（原稿画像の読取位置に相当、図３も参照）において、静止した読み取り走査部により原稿画像の読み取りが行なわれる。画像を読み取られた原稿は、排出トレイ９に順次排出される。
【００２２】
画像読取部３は、ＡＤＦ読み取り部３ｂとフラットヘッドスキャナー部（ＦＢＳ）３ｃにより構成される。ＦＢＳ３ｃにおいて画像読み取りを行なう場合には、読み取り走査部がＦＢＣ３ｃに移動し、プラテンガラス３ｄの下を左右方向に往復移動しながら、プラテンガラス３ｄの上に置かれた原稿の画像を読み取る。ＡＤＦ読み取り部３ｂにおいて画像読み取りを行なう場合には、読み取り走査部がコンタクトガラス３ｅの下に移動し、読み取り走査部を静止させた状態で画像読み取りを行なう。プラテンガラス３ｄは、通常はＡ３サイズの原稿の読み取りを可能にするために、Ａ３サイズ以上の矩形サイズを有している。これに対して、コンタクトガラス３ｅは、装置の前後方向に沿った細長い矩形形状を有している。上記ＡＤＦ２を構成する一連の機構は、プラテンカバー（原稿押圧板）も兼ね、図１の紙面奥側をヒンジ軸として開閉可能とされている。
【００２３】
画像記録部４は、電子写真式の記録装置であり、不図示の感光体ドラム、帯電器、レーザーによる光書き込みユニット、現像器、転写器、定着器などにより構成される。画像が形成された記録紙は、排出ローラ４ａにより排出トレイ４ｂに排出される。画像記録部４の具体的な構成については、公知の構成を採用することができる。また、電子写真の形式は、トナー画像を記録紙に転写する方式の他、インクジェット式、インクリボン式などの各種の画像記録方式を採用することができる。また、形成される画像もモノクロ画像とカラー画像のいずれであってもよい。
【００２４】
給紙部５は、図１の紙面に垂直な方向に出し入れ可能な複数の記録紙カセット６を備えている。各記録紙カセット６は、基本的には同じ構造を有している。記録紙カセット６では記録紙が上下方向に積層されて収容されており、給紙ローラにより１枚ずつ分離されて繰り出されていく。給紙ローラによる給紙機構については、公知の構成を採用することができる。給紙ローラにより繰り出された記録紙は、記録紙搬送機構７により画像記録部４へと送り込まれる。
【００２５】
＜ＡＤＦの構成＞
次に、ＡＤＦ２の内部構成を図２の断面図により説明する。原稿トレイ８は原稿押さえカバー１０の上部に、原稿を供給する方向へ若干傾斜した状態で設けられている。すなわち、原稿トレイ８の上に、積層された原稿を収容した時、左側が下方に傾斜した状態で載置される。操作者が原稿トレイ８の上に原稿を載置する場合、原稿トレイ８の傾斜下端側に原稿の先端を搬送路２０の入口の方向に挿入するようにして載置する。なお、図示はしていないが、原稿トレイ８には、原稿の幅方向の位置を規制して原稿の斜め送りを防止する可動式のガイドが設けられている。
【００２６】
給紙部Ａには、下流側に位置する分離ローラ３０と上流側に位置するピックアップローラ３１が設けられており、ピックアップローラ３１は分離ローラ３０と同芯の駆動軸３０ａから駆動伝達されるように構成される。分離ローラ３０とピックアップローラ３１とを連結するように連結フレーム３２が設けられている。この連結フレーム３２は、駆動軸３０ａと不図示のトルクリミッタを介して連結されており、これにより、駆動軸３０ａを中心に揺動可能な構成となっている。従って、ピックアップローラ３１は駆動軸３０ａを回転中心として上下揺動可能に構成され、最上層の原稿を押圧可能な位置と、離間した位置の間を移動可能に構成されている。
【００２７】
連結フレーム３２の一端には支軸３１ａが取り付けられており、ピックアップローラ３１が回転可能な状態で軸支される。駆動軸３０ａに取り付けられたプーリ３０ｂと、支軸３１ａに取り付けられたプーリ３１ｂの間にベルト３３が巻回されている。これにより、駆動軸３０ａの回転がプーリ３０ｂ、ベルト３３、プーリ３１ｂを介して支軸３１ａに伝達され、更に、この支軸３１ａの回転は不図示のワンウェイクラッチを介してピックアップローラ３１に伝達されるように構成される。
【００２８】
分離ローラ３０に対向する下方には分離パッド３４が設けられ、スプリング３５により分離ローラ３０の外周面に向けて圧接力が付与されている。この分離ローラ３０と分離パッド３４は、原稿を確実に１枚だけを繰り出すための機構であり、原稿分離手段として機能する。ピックアップローラ３１により繰り出された原稿は、この分離ローラ３０ａと分離パッド３４の間に導入される。仮に複数枚の原稿がピックアップローラ３１により繰り出されたとしても、摩擦係数の際に基づいて、分離ローラ３０の回転により一番上の原稿のみが分離ローラ３０により繰り出されるものである。なお、分離ローラ３０と分離パッド３４の組み合わせによるものに代えて、分離ローラ３０とリタードローラの組み合わせを採用してもよい。
【００２９】
ピックアップローラ３１は、待機状態では原稿から離間した上方に位置しているが、駆動軸３０ａが図２の時計方向に回転駆動（正回転）されると、前述のトルクリミッタの作用により連結フレーム３２が駆動軸３０ａを支点として揺動し、ピックアップローラ３１が上方から下方に移動する。
【００３０】
下方に移動したピックアップローラ３１は、原稿トレイ８上に載置された原稿の最上層に当接した時に移動が停止させられるが、駆動軸３０ａの引き続く回転により、ベルト３３等の伝達系を介してピックアップローラ３１の回転駆動が開始する。従って、駆動軸３０ａが正回転している間は、ピックアップローラ３１は積層された原稿の最上層部を押圧しながら回転するので、原稿は最上層部から順番に繰り出されていく。駆動軸３０ａがいったん停止し、反時計方向へ回転駆動（逆回転）されると、トルクリミッタの作用により連結フレーム３２が上方に移動し、ピックアップローラ３１も上方に移動する。その後、駆動軸３０ａを停止させると、待機状態に静止保持される。
【００３１】
給紙部Ａにより繰り出された１枚の原稿は、水平な搬送路２０に送り込まれた後、原稿搬送部Ｂにより第１読取位置Ｐ１（図３参照）へ向けて搬送される。原稿搬送部Ｂは、Ｕターン状に形成された搬送路２４を備えている。この搬送路２４に沿って、上流側から順番にレジストローラ２１、第１搬送ローラ２２、第２搬送ローラ２３が配置されており、これらによりレジスト搬送された原稿は、第１読取位置Ｐ１に搬送される。この第１読取位置Ｐ１において、画像読取部３により原稿画像が読み取られる。画像読取部３は、ＣＣＤなどによるラインセンサーを備えており、原稿の搬送先頭側から順次原稿の画像データを取り込んでいく。
【００３２】
第１読取位置Ｐ１を通過した原稿は、第３搬送ローラ２５により第２読取位置Ｐ２へと搬送され、排出ローラ２６により排出トレイ９に排出される。第２読取位置Ｐ２には、原稿の裏面の画像を読み取るための読み取り走査装置２７が設けられているが、裏面の画像を読み取らない時には機能しない。読み取り走査装置２７は、密着型イメージセンサーであり、プラテンローラ２８により、原稿をセンサーの読み取り面に密着させながら搬送させる。
【００３３】
レジストローラ２１、第１搬送ローラ２２、第２搬送ローラ２３、第３搬送ローラ２５、排出ローラ２６は、搬送路を挟んで対向する側に、圧着ローラ２１ａ，２２ａ，２３ａ，２５ａ，２６ａが配置されており、原稿がニップされた状態で搬送される。
【００３４】
給紙部Ａにより繰り出された原稿は、原稿搬送部Ｂに送り込まれレジストローラ２１等のローラ機構により搬送される。ここで、レジストローラ２１及びこれよりも下流側に位置するローラの周速は、分離ローラ３０及びピックアップローラ３１の周速よりも大になるように設定されている。これにより、分離ローラ３０とレジストローラ２１との間で原稿のたるみが生じないようにしている。
【００３５】
従って、分離ローラ３０により繰り出された原稿の先端がレジストローラ２１によりニップされると、その周速差により原稿に張力が作用することになるが、前述のように分離ローラ３０及びピックアップローラ３１には不図示のワンウェイクラッチが組み込まれているので、これらローラ３０，３１が空転し、原稿に大きな張力が作用しないようにしている。
【００３６】
次に、画像読取部３の詳細構成を説明する。まず、第１プラテンガラス３ｄの下面に沿って左右方向に往復移動されるフルレートキャリッジ４１と、その半分の速度で往復移動されるハーフレートキャリッジ４２とを、駆動装置４５の大小のプーリ４６ａ，４６ｂに掛け渡した駆動ベルト４７ａ，４７ｂに結合して設けている。フルレートキャリッジ４１には、ランプ４１ａ（読み取り用光源に相当）と１つのミラーｍ１を設けている。ランプ４１ａの光を原稿面に直接照射し、その反射光をミラーｍ１を介してハーフレートキャリッジ４２のミラーｍ２へと伝達し、更にミラーｍ３を介してレンズ４３に伝達する。このレンズ４３により、読み取りセンサーであるＣＣＤ４４に原稿画像を結像させ、ＣＣＤ４４により受光した光を不図示の画像処理回路へと伝送し、デジタルの画像データが得られる。
【００３７】
ＦＢＳ３ｃにおいては、プラテンガラス３ｄの上に載置された原稿の画像を読み取る場合、上記フルレートキャリッジ４１とハーフレートキャリッジ４２を左右方向に移動させながら画像読み取りが行なわれる。この場合の各キャリッジ４１，４２の位置関係が図２に破線で示されている。
【００３８】
ＡＤＦ読み取り部３ｂにおいては、ＡＤＦ２によりコンタクトガラス３ｅの第１読取位置Ｐ１の位置に搬送されてくる原稿の画像を搬送先端側から順次読み取っていく。この場合の各キャリッジ４１，４２の位置関係は図２に実線で示されており、ＡＤＦ読み取り部３ｂにおいて読み取りを行う場合は、キャリッジ４１，４２は静止した状態であり動かない。
【００３９】
＜センサー及び制御＞
次に、自動原稿送り装置の動作を制御するために用いられる各種のセンサーと、主要な制御機能について図３により説明する。図３において、搬送路及びセンサーを模式的に図示している。
【００４０】
分離ローラ３０とレジストローラ２１の間の搬送路２０には、上流側から順番に原稿長センサー５０（給紙検出部に相当する）と原稿幅センサー５１が配置されている。これらのセンサー５０，５１は、原稿のサイズを判別するために設けられている。また、原稿長センサー５０は原稿が給紙部Ａか給送されてきたことも検出できる。原稿幅センサー５１は、実際には幅方向（紙面の垂直方向）に沿って複数個が配置されており、各センサーの検知状態の組み合わせに基づいて、原稿サイズを判別する。原稿長センサー５０は、搬送される原稿の先端と後端を検出することができ、その間の原稿送り量に基づいて、原稿長さを演算することができる。
【００４１】
第１リードセンサー５２（原稿検出センサーに相当）は、第１読取位置Ｐ１の直上流の搬送路２４に設けられており、搬送されてくる原稿の先端及び後端を検出することができる。原稿の先端を検出してから所定タイミング後に、画像読取部３による画像読み取りが開始されように、読み取り制御部５４による制御が行なわれる。同様に、原稿の後端が検出されてから所定タイミング後に、画像読み取りが終了する。読み取られた画像データは、画像処理部５５へと転送されて、所定のデータ処理が行われる。更に、第２読取位置Ｐ２の直上流には、第２リードセンサー５３が同じ目的のために設けられる。所定タイミングは、所定時間や原稿の送り量に基づいて予め設定することができる。
【００４２】
第１リードセンサー５２は、発光部５２ａと受光部５２ｂにより構成されており、これらの間を原稿が通過するように構成されている。発光部５２ａからは赤外光が出力されており、これを受光部５２ｂにより受光している状態である。発光部５２ａや受光部５２ｂについては、公知のダイオードなどを用いることができる。赤外光により検出を行なうものであるから、可視光には感度はなく、可視光の影響は受けないように構成している。
【００４３】
原稿が第１リードセンサー５２の位置に到達すると、受光部５２ｂへ到達する光が遮断されるため、原稿の先端が到達したことを検出することができる。また、原稿が第１リードセンサー５２の位置を通過すると、再び受光部５２ｂが受光できる状態に復帰するので、原稿の後端が通過したことを検出することができる。
【００４４】
次に、コンタクトガラス３ｅ（透明板に相当）の構成を示す。コンタクトガラス３ｅの裏面側３ｆには、赤外光をカットするためのコーティング（表面処理に相当するものであり、例えば、ＩＲコートである。）が施されている。ランプ４１ａから照射される光は、基本的に可視光であるが、赤外光も僅かに含まれている。この赤外光がコンタクトガラス３ｅを透過して、原稿検出センサー５２の方に向かうと、誤検出をする可能性がある。原稿検出センサー５２も赤外光を使用しているためである。そこで、上記コーティングを行なうことで、赤外光をカットしコンタクトガラス３ｅの表面側に透過しないように構成した。従って、原稿の先端・後端検出を誤って行うことがないようにした。
【００４５】
また、コンタクトガラス３ｅの表面側３ｇには、ＩＴＯ皮膜をコーティングしている。ＩＴＯ皮膜は導電性を有しており、静電気により汚れが付着することを抑制することができる。これにより、画像の読み取り精度を確保することができる。また、ＩＴＯ皮膜は摩擦係数が低いために、原稿の搬送性能を低下させることがない。また、ＩＴＯ皮膜は光透過性が良好であるため、この点においても、読み取り性能を低下させることがない。
【００４６】
以上の構成によれば、ランプ４１ａからの赤外光がカットされているので、第１リードセンサー５２を可能な限り第１読取位置Ｐ１に近接させることができる。従って、第１読取位置Ｐ１における読み取りタイミングの制御をより精度高く行うことができるようになる。
【００４７】
次に、原稿検出センサー５２の別実施形態を図５及び図６により説明する。図５は、検出レバー５６を使用した例である。検出レバー５６は、軸芯５６ａ周りに揺動可能に軸支されており、第１作用部５６ｂと第２作用部５６ｃを備えて形成されている。第１作用部５６ｂは、原稿の搬送路の中に挿入された状態になっている。第２作用部５６ｃは、軸芯５６ａを挟んで第１作用部５６ｂとは反対側に形成されており、光センサー５７に形成された凹部に挿入された状態となっている（図５（ｃ）参照）。検出レバー５６にはバネ（不図示）が作用しており、図５（ａ）に示す状態になるように付勢されている。光センサー５７は、発光部５２ａと受光部５２ｂが対向する位置関係にあり、それらの間に第２作用部５６ｃが出退可能に配置されている。
【００４８】
原稿Ｐがない状態では、図５（ａ）（ｃ）に示す状態であり、光センサー５７は赤外光を第２作用部５６ｃにより遮断された状態に保持されている。原稿Ｐの先端が到来すると、原稿Ｐにより第１作用部５６ｂが押えられ検出レバー５６が時計方向に回転する。これにより、第２作用部５６ｃは光センサー５７から退避し、光センサー５７は赤外光を受光可能な状態になる。これにより、原稿の先端が到着したことを検出することができる。また、原稿Ｐの後端が通過すると、検出レバー５６はバネの付勢力により元の図５（ａ）（ｃ）の状態に復帰する。これにより、光センサー５７は再び遮光状態となり、原稿Ｐの後端が通過したことを検出することができる。
【００４９】
図５に示す構成では、原稿Pが到着すると、第２作用部５６ｃは光の遮光位置から受光位置へと移動するが、これを逆に受光位置から遮光位置へ侵入するように構成してもよい。
【００５０】
図６は、更に別の実施形態を示す図である。この原稿検出センサー５２は、発光部５２ａ，５２ｂが同じ側に配置された反射型の光センサーである。原稿Ｐが到着すると、発光部５２ａからの光は原稿Ｐの表面を反射して受光部５２ｂにより受光される。原稿Ｐが存在しない時は、発光部５２ａからの光は受光部に到達しない。これにより、原稿Ｐの先端・後端を検出することができる。
【００５１】
＜別実施形態＞
本発明に係る画像形成装置の具体的な構造は、本実施形態において説明した構造に限定されるものではなく、種々の変形例が可能である。
【００５２】
本実施形態において、コンタクトガラス３ｅの裏面側３ｆにのみ赤外光カットのコーティングを行なっているが、かかるコーティングは表面側３ｇのみでもよいし、表裏両面に行なってもよい。また、表面側３ｇのＩＴＯ皮膜は必ずしも必要ではない。また、コンタクトガラス３ｅはアクリル等の透明樹脂であってもよい。赤外光カット皮膜やＩＴＯ皮膜の形成方法は、蒸着・メッキ等の適宜の表面処理により行なうことができる。
【００５３】
原稿搬送部Ｂの構成は、図示のものに限定されるものではなく、種々の変形例が考えられる。本実施形態では、原稿をＵターンさせる搬送路２４において、多数の搬送ローラを使用しているが、例えば、Ｕターン経路の内側に大径ローラを１つ配置し、その外周部に多数の圧着ローラを配置するような搬送機構を採用してもよい。
【図面の簡単な説明】
【００５４】
【図１】画像形成装置の内部構成をブロック的に示す模式図
【図２】自動原稿送り装置（ＡＤＦ）の構成を示す断面図
【図３】センサー及び制御機能の構成を示すブロック図
【図４】コンタクトガラスの構成を示す図
【図５】原稿検出センサーの別実施形態を示す図
【図６】原稿検出センサーの別実施形態を示す図
【符号の説明】
【００５５】
１        画像形成装置
２        自動原稿送り装置（ＡＤＦ）
３        画像読取部
３ｄ      プラテンガラス
３ｅ      コンタクトガラス
３ｆ      裏面側
３ｇ      表面側
２４      搬送路
４１      フルレートキャリッジ
４２      ハーフレートキャリッジ
４１ａ    ランプ
５２      第１リードセンサー（原稿検出センサー）
５２ａ    発光部
５２ｂ    受光部
５４      読み取り制御部
５６      検出レバー
５６ｂ    第１作用部
５６ｃ    第２作用部
５７      光センサー
Ａ        給紙部
Ｂ        原稿搬送部
Ｐ１      第１読取位置
【図１】
2008166987.tif 000003
【図２】
2008166987.tif 000004
【図３】
2008166987.tif 000005
【図４】
2008166987.tif 000006
【図５】
2008166987.tif 000007
【図６】
2008166987.tif 000008